(57)【要約】　　　（修正有）【課題】仕切板を組み付け連結する構造であって、簡便に組み付けでき組み付け作業性に秀れ、構造も簡易で量産性に秀れると共に、確実に抜け止め係止連結して抜け止め保持力が強く、保形性に秀れ、偏平折り畳み収納しても再び枠状復帰させても組み付けが外れず保形耐久性にも秀れた画期的な仕切体を提供する。【解決手段】複数の仕切板を交差連結して構成する仕切体であって、一方の仕切板１Ａの先端部に切り込み２を形成して仕切板１Ａの先端部に板面方向及び長さ方向と交差する方向に折曲自在な折曲片部３を設け、他方の仕切板１Ｂの板面に前記折曲片部３を折曲した状態で前記一方の仕切板１Ａの先端部を嵌挿する係止孔４を設け、この係止孔４に前記一方の仕切板１Ａの先端部を嵌挿して前記折曲片部３を戻り復帰させることで抜け止め状態となり前記一方の仕切板１Ａと他方の仕切板１Ｂとが交差連結されるように構成した。【選択図】　　　　図２
2004131153.tif 000002
【特許請求の範囲】
【請求項１】
複数の仕切板を交差連結して構成する仕切体であって、一方の仕切板の先端部に切り込みを形成して仕切板の先端部に板面方向及び長さ方向と交差する方向に折曲自在な折曲片部を設け、他方の仕切板の板面に前記折曲片部を折曲した状態で前記一方の仕切板の先端部を嵌挿する係止孔を設け、この係止孔に前記一方の仕切板の先端部を嵌挿して前記折曲片部を戻り復帰させることで抜け止め状態となり前記一方の仕切板と他方の仕切板とが交差連結されるように構成したことを特徴とする仕切体。
【請求項２】
少なくとも前記一方の仕切板は、表面部となる一対のライナー部間にこのライナー部間の空間部を仕切る緩衝部を設けた構成の紙製若しくは樹脂製の段ボール構造板としたことを特徴とする請求項１記載の仕切体。
【請求項３】
前記緩衝部の前記ライナー部との連設部を前記折曲片部の折り縁とし、紙材若しくは樹脂材の変形復帰弾性により折曲した折曲片部に戻り復帰力が生じるように構成したことを特徴とする請求項１，２のいずれか１項に記載の仕切体。
【請求項４】
前記一方の仕切板の先端部に側縁から内方に向かって前記切り込みを形成して仕切板の先端部に長さ方向に対して略直角に折曲自在な前記折曲片部を設け、前記他方の仕切板の板面に、前記折曲片部を折曲した状態で前記一方の仕切板の先端部を嵌挿する前記係止孔を設け、この係止孔に前記一方の仕切板の先端部を嵌挿して前記折曲片部を戻り復帰させて平板状に戻すことで抜け止め状態となり前記一方の仕切板と他方の仕切板とが交差連結されるように構成したことを特徴とする請求項１〜３のいずれか１項に記載の仕切板。
【請求項５】
前記一方の仕切板の先端部の両側縁から内方に向かって前記切り込みを形成して前記折曲片部を両側部に設け、この両側の折曲片部を折曲した状態で前記一方の仕切板の先端部を前記他方の係止孔に嵌挿して前記両側の折曲片部を戻り復帰させて平板状に戻すことで抜け止め状態となり前記一方の仕切板と他方の仕切板とが交差連結されるように構成したことを特徴とする請求項４記載の仕切板。
【請求項６】
前後両端部に前記折曲片部を設けた並設される複数の前記一方の仕切板と、複数の前記係止孔を設けた並設される複数の前記他方の仕切板とから成り、前記夫々の係止孔に夫々の前記仕切板の先端部の折曲片部を折曲した状態で嵌挿して戻り復帰させることで各仕切板と仕切板とを交差連結して枠状に構成したことを特徴とする請求項１〜５のいずれか１項に記載の仕切体。
【発明の詳細な説明】
【０００１】
【発明の属する技術分野】
本発明は、離間部材や緩衝部材として例えば商品や製品の梱包時や収納時に用いる仕切体に関するものである。
【０００２】
【従来の技術及び発明が解決しようとする課題】
格子枠状や井桁枠状あるいは単なる方形枠状に仕切体を構成する場合に、帯状の仕切板を交差連結して所望の形状に組み付けているが、この連結構造は、交差させる仕切板の板縁に互いに切り込みを設け、この切り込み同志をかみ込み係止させて組み付ける構造のものが一般的である。
【０００３】
しかしながら、このような構造は、簡便に組み付けることができるが、抜け止め保持力は弱く、バラけ易い。
【０００４】
また、剛性も十分ではなく、組み付け状態で偏平状に折り潰した場合も組み外れ易く、再び枠状に戻して使用する際に深くかみ込み係止しなおされなけばならないことも多い。
【０００５】
本発明は、このような問題に鑑み、仕切板を組み付け連結する構造であって、簡便に組み付けでき組み付け作業性に秀れ、構造も簡易で量産性に秀れると共に、確実に抜け止め係止連結して抜け止め保持力が強く、保形性に秀れ、偏平折り畳み収納しても再び枠状復帰させても組み付けが外れず保形耐久性にも秀れた画期的な仕切体を提供することを目的としている。
【０００６】
また、本発明は、段ボールやプラスチック段ボールなどの段ボール構造板を採用することで、強度並びに緩衝性に秀れると共に、任意の位置で折り曲げ容易のため係止連結作業が一層容易となり、折り曲げ弾性によって抜け止め係止による保形性や保形耐久性も一層秀れた画期的な仕切体を提供することを目的としている。
【０００７】
【課題を解決するための手段】
添付図面を参照して本発明の要旨を説明する。
【０００８】
複数の仕切板１を交差連結して構成する仕切体であって、一方の仕切板１Ａの先端部に切り込み２を形成して仕切板１Ａの先端部に板面方向及び長さ方向と交差する方向に折曲自在な折曲片部３を設け、他方の仕切板１Ｂの板面に前記折曲片部３を折曲した状態で前記一方の仕切板１Ａの先端部を嵌挿する係止孔４を設け、この係止孔４に前記一方の仕切板１Ａの先端部を嵌挿して前記折曲片部３を戻り復帰させることで抜け止め状態となり前記一方の仕切板１Ａと他方の仕切板１Ｂとが交差連結されるように構成したことを特徴とする仕切体に係るものである。
【０００９】
また、少なくとも前記一方の仕切板１Ａは、表面部となる一対のライナー部５間にこのライナー部５間の空間部６を仕切る緩衝部７を設けた構成の紙製若しくは樹脂製の段ボール構造板としたことを特徴とする請求項１記載の仕切体に係るものである。
【００１０】
また、前記緩衝部７の前記ライナー部５との連設部を前記折曲片部３の折り縁とし、紙材若しくは樹脂材の変形復帰弾性により折曲した折曲片部３に戻り復帰力が生じるように構成したことを特徴とする請求項１，２のいずれか１項に記載の仕切体に係るものである。
【００１１】
また、前記一方の仕切板１Ａの先端部に側縁から内方に向かって前記切り込み２を形成して仕切板１Ａの先端部に長さ方向に対して略直角に折曲自在な前記折曲片部３を設け、前記他方の仕切板１Ｂの板面に、前記折曲片部３を折曲した状態で前記一方の仕切板１Ａの先端部を嵌挿する前記係止孔４を設け、この係止孔４に前記一方の仕切板１Ａの先端部を嵌挿して前記折曲片部３を戻り復帰させて平板状に戻すことで抜け止め状態となり前記一方の仕切板１Ａと他方の仕切板１Ｂとが交差連結されるように構成したことを特徴とする請求項１〜３のいずれか１項に記載の仕切板に係るものである。
【００１２】
また、前記一方の仕切板１Ａの先端部の両側縁から内方に向かって前記切り込み２を形成して前記折曲片部３を両側部に設け、この両側の折曲片部３を折曲した状態で前記一方の仕切板１Ａの先端部を前記他方の係止孔４に嵌挿して前記両側の折曲片部３を戻り復帰させて平板状に戻すことで抜け止め状態となり前記一方の仕切板１Ａと他方の仕切板１Ｂとが交差連結されるように構成したことを特徴とする請求項４記載の仕切板に係るものである。
【００１３】
また、前後両端部に前記折曲片部３を設けた並設される複数の前記一方の仕切板１Ａと、複数の前記係止孔４を設けた並設される複数の前記他方の仕切板１Ｂとから成り、前記夫々の係止孔４に夫々の前記仕切板１Ａの先端部の折曲片部３を折曲した状態で嵌挿して戻り復帰させることで各仕切板１Ａと仕切板１Ｂとを交差連結して枠状に構成したことを特徴とする請求項１〜５のいずれか１項に記載の仕切体に係るものである。
【００１４】
【発明の実施の形態】
好適と考える本発明の実施の形態（発明をどのように実施するか）を、図面に基づいてその作用効果を示して簡単に説明する。
【００１５】
一方の仕切板１Ａの先端部に設けた折曲片部３を切り込み２を介して折曲し、この折曲した状態で始めて貫通可能な形状に設定した他方の仕切板１Ｂの板面の係止孔４に、前記一方の仕切板１Ａの先端部を（折曲片部３を折曲した状態で）貫通（嵌挿）し、この折曲片部３を戻り復帰させることで係止孔４から挿通不能となって抜け止め状態となり、一方の仕切板１Ａと他方の仕切板１Ｂとが交差連結されることとなる。
【００１６】
このようにして例えば方形枠状の仕切体に構成する場合は、前後両端部に折曲片部３を設けた対向並設させる一対の前記一方の仕切板１Ａと、両端部の板面に係止孔４を設けた対向並設させる一対の前記他方の仕切板１Ｂとを、互いに直交するようにして夫々の係止孔４に夫々の前記仕切板１Ａの先端部の折曲片部３を折曲した状態で嵌挿して戻り復帰させることで各仕切板１Ａと仕切板１Ｂとを交差連結し枠状に構成できることとなる。
【００１７】
従って、単に折曲片部３を折曲して係止孔４に通し、戻り復帰させるだけで連結でき仕切体を形成できるため、組み付け作業性に秀れ、また、切り込み２による折曲片部３と係止孔４とにより形成できるため、構造も簡易で量産性に秀れると共に、確実に抜け止め係止連結して抜け止め保持力が強く、保形性に秀れ、偏平折り畳み収納しても再び枠状復帰させても組み付けが外れず保形耐久性にも秀れた画期的な仕切体となる。
【００１８】
しかも、段ボールやプラスチック段ボールなどの段ボール構造板を採用すれば、強度並びに緩衝性に秀れると共に、任意の位置で折り曲げ容易のため係止連結作業が一層容易となり、折り曲げ弾性によって抜け止め係止による保形性や保形耐久性も一層秀れる。
【００１９】
【実施例】
本発明の具体的な実施例について図面に基づいて説明する。
【００２０】
本実施例では、プラスチック段ボールと称される樹脂製の段ボール構造板を採用した二種の帯板状仕切板１Ａ・１Ｂを前後・左右に一組ずつ配して互いに直交連結し、方形枠状の仕切体を構成する実施例を示している。
【００２１】
即ち、各仕切板１Ａ，１Ｂは、表面部となる上下一対のライナー部５間にこのライナー部５間の空間部６を幅方向に多数仕切るリブ状の緩衝部７を介在して構成した樹脂製の段ボール構造板とし、図４，図５に示すように、この緩衝部７の前記ライナー部５との連設部を前記折曲片部３の折り縁とし、緩衝部７間の折り曲げられるライナー部５での変形復帰弾性により折曲した折曲片部３に戻り復帰力が自動的に生じるように構成している。
【００２２】
更に説明すると、一方の仕切板１Ａの先端部の両側縁から内方に向かって切り込み２を形成して前記折曲片部３を先端部の左右両側部に設け、この両側の折曲片部３をこの切り込み３および前記折り縁を介して長さ方向に対して直角に折曲自在に設けている。また、この左右双方に形成した折曲自在な折曲片部３は、本実施例ではこの一方の仕切板１Ａの前後両端部に夫々設け、合計四ヵ所に設けている。
【００２３】
また、他方の仕切板１Ｂの板面に、前記折曲片部３を折曲した状態ではじめて前記一方の仕切板１Ａの先端部を嵌挿することができる形状の係止孔４を設けている。
【００２４】
本実施例では、コ字状スリット孔としているが、折曲片部３の形状，折曲方向，折曲角度などによって設計されるもので、折曲状態で貫通でき、折曲片部３を戻り復帰させることで抜け止め状態となる形状に適宜設計されるものである。
【００２５】
従って、この係止孔４に前記一方の仕切板１Ａの先端部を嵌挿して前記折曲片部３を弾性戻り復帰させて平板状に戻すことで抜け止め状態となり前記一方の仕切板１Ａと他方の仕切板１Ｂとが直角に交差連結されるように構成している。
【００２６】
即ち、前後両端部に前記折曲片部３を設けた並設される一組の前記一方の仕切板１Ａと、複数の前記係止孔４を設けた並設される一組の前記他方の仕切板１Ｂとから成り、前記夫々の係止孔４に夫々の前記仕切板１Ａの先端部の折曲片部３を折曲した状態で嵌挿して戻り復帰させることで各仕切板１Ａと仕切板１Ｂとを互いに直角に交差連結して枠状に構成している。
【００２７】
本実施例では、他方の仕切板１Ｂの板面数ヵ所に係止孔４を設けて、この係止孔４を選択して一方の仕切板１Ａを挿入係止連結できるように形成し、方形枠の大きさを可変できるように構成している。また、一方の仕切板１Ａを数本用意すれば複数の方形枠（収納枠部）を形成でき、また他方の仕切板１Ｂも数本用意すれば、更に多数の方形枠が縦横に形成された仕切体を構築できる。
【００２８】
また、本実施例では、折曲片部３を有する一方の仕切板１Ａと係止孔４を有する他方の仕切板１Ｂとを複数用意する構成としたが、一の仕切板に折曲片部３及び係止孔４を設け、共用する部材としても良い。
【００２９】
また、本実施例では、段ボールやプラスチック段ボールなどの段ボール構造板を採用したため、強度並びに緩衝性に秀れると共に、任意の位置で折り曲げ容易のため係止連結作業が一層容易となり、折り曲げ弾性によって抜け止め係止による保形性や保形耐久性も一層秀れる。即ち、単に切り込み２を形成するだけで折曲片部３を形成できるだけでなく、この折曲片部３は容易に直角に折曲でき、しかも、自動的に戻り弾性が生じると共に直角折曲位置では保持性もある程度生じまた過折曲もある程度阻止できるため、折曲挿入復帰による仕切板の連結作業は一層容易にしてスピーディーに行なえ、前記作用・効果が良好に発揮される。
【００３０】
また、図６に示すように収納時（不使用時）などにそのまま偏平に潰すことも容易で、また、再び使用するに際して枠状に復帰させることも容易にでき、保形強度もこの保形耐久性にも秀れる。特に段ボール構造板故にたわみ弾性も有するため、この偏平上位とすることもスムーズに行なえる。
【００３１】
尚、本発明は、本実施例に限られるものではなく、各構成要件の具体的構成は適宜設計し得るものである。
【００３２】
【発明の効果】
本発明は上述のように構成したから、仕切板を組み付け連結する構造であって、簡便に組み付けでき組み付け作業性に秀れ、構造も簡易で量産性に秀れると共に、確実に抜け止め係止連結して抜け止め保持力が強く、保形性に秀れ、偏平折り畳み収納しても再び枠状復帰させても組み付けが外れず保形耐久性にも秀れた画期的な仕切体となる。
【００３３】
また、請求項２，３記載の発明においては、段ボールやプラスチック段ボールなどの段ボール構造板を採用するため、強度並びに緩衝性に秀れると共に、任意の位置で折り曲げ容易のため係止連結作業が一層容易となり、折り曲げ弾性によって抜け止め係止による保形性や保形耐久性も一層秀れた画期的な仕切体となる。
【００３４】
また、請求項４，５，６は、一層容易に本発明を実現でき、多様な形状の仕切体を容易に構築でき、一層実用性に秀れた仕切体となる。
【図面の簡単な説明】
【図１】本実施例の斜視図である。
【図２】本実施例の分解斜視図である。
【図３】本実施例の組み付け説明斜視図である。
【図４】本実施例の要部の拡大斜視図である。
【図５】本実施例の折曲片部の折曲説明図である。
【図６】本実施例の偏平折り畳み収納可能であることを示す説明図である。
【符号の説明】
１　仕切板
１Ａ　仕切板
１Ｂ　仕切板
２　切り込み
３　折曲片部
４　係止孔
５　ライナー部
６　空間部
７　緩衝部
【図１】
2004131153.tif 000003
【図２】
2004131153.tif 000004
【図３】
2004131153.tif 000005
【図４】
2004131153.tif 000006
【図５】
2004131153.tif 000007
【図６】
2004131153.tif 000008